(57)【特許請求の範囲】
【請求項１】
椅子に固定されて、その椅子の座の側方に位置するテーブル受けと、
前記テーブル受けに、前記椅子の左右方向へ延在する第１軸線周りに回動可能に枢支されるテーブル軸受けと、
前記テーブル軸受けに、前記椅子の前後方向へ延在する鉛直平面に平行に延在する第２軸線周りに、前記第１軸線に平行に延在する使用姿勢と前記鉛直平面に平行に延在する収納姿勢との間で回動可能に枢支されたテーブル本体と、
を具える椅子用回動収納式テーブルにおいて、
前記テーブル受けが、テーブル本体支持部とテーブル本体姿勢制御部とを有し、
前記テーブル本体支持部は、前記テーブル軸受けが前記第１軸線周りの所定回動位置に位置する状態でのみ前記テーブル本体の前記第２軸線周りの前記使用姿勢までの回動を許容するとともに、前記使用姿勢の前記テーブル本体の裏面を支持してそのテーブル本体を使用状態にするものであり、
前記テーブル本体姿勢制御部は、前記テーブル軸受けが前記第１軸線周りに前記所定回動位置から、前記テーブル本体の裏面に摺接して前記収納姿勢まで回動可能にするものであり、
前記テーブル本体姿勢制御部から第一軸線に下ろした垂線が、前記テーブル本体支持部から第一軸線に下ろした垂線より長くなり、
前記テーブル本体支持部と前記テーブル本体姿勢制御部とは、前記テーブル受けに嵌着されてそのテーブル受けと前記テーブル軸受けとの間まで延在するプラスチック製部材によって形成されていることを特徴とする椅子用回動収納式テーブル。
【請求項２】
前記テーブル本体は前記使用状態で、前記テーブル軸受けに枢支された一端部よりも反対側の他端部寄りの前端部が前記一端部付近の前端部よりも前方に突出する一方、前記他端部寄りの後端部が前記一端部付近の後端部よりも前方に引っ込んでいることを特徴とする、請求項１記載の椅子用回動収納式テーブル。
【請求項３】
前記テーブル軸受けは、前記テーブル本体と当接してそのテーブル本体の前記第２軸線周りの前記収納姿勢を超えた前記使用姿勢と反対の側への回動を規制するテーブル本体ストッパを有することを特徴とする、請求項１または２記載の椅子用回動収
納式テーブル。
【請求項４】
前記テーブル受けは、前記テーブル本体または前記テーブル軸受けと当接してそのテーブル軸受けの前記所定回動位置を越える前記所定方向と反対の方向への回動を規制するとともにそのテーブル軸受けの前記所定方向への回動を所定限度内に規制するテーブル受けストッパを有することを特徴とする、請求項１から３までの何れか１項記載の椅子用回動収納式テーブル。
【発明の詳細な説明】
【技術分野】
【０００１】
本発明は、観覧席等の椅子用の回動収納式テーブルに関するものである。
【背景技術】
【０００２】
劇場や競技場などに設ける観覧席については、筆記や飲食をするための小型のテーブルを付加する場合がある。
【０００３】
観覧席には、背と座とが一体のものもあり、背と座とが分かれているものもある。さらに、座が跳ね上がって他の人が通り抜ける際に邪魔にならないようになっているものもあるが、どのような椅子においても、人が着席した状態が基本となるので、テーブルを付加する場合に、人の腹が当たらないで手が自然に届く範囲にテーブルを配置するためには、テーブルが肘当て高さと近似した高さで、着席者のやや前方に略水平な姿勢で位置する使用状態になる必要がある（例えば特許文献１参照）。
【特許文献１】特開２００３−７９４８０号公報
【発明の開示】
【発明が解決しようとする課題】
【０００４】
しかしながら、観覧席は通常左右に複数席を連結された列を成し、前後にいくつかの列が並ぶ状態に設置されるものであるから、テーブルが使用状態で固定されていると、列と列の間を人が通り抜ける際にテーブルが妨げになってしまう。
【０００５】
そこで、特許文献１に記載のようにテーブルを回動させて座の下方に収納することで、通路を広げ、また着席する際の人の動きを妨げないようにする構造とするのが一般的であるが、従来の回動収納構造は、複雑かつ大掛かりでコストが嵩み、しかも外観が煩雑であり、また可動部が傷付き易く、着席者の使用感も必ずしも好ましくないといった問題があった。
【０００６】
それゆえ本発明は、テーブルの回動収納構造をシンプルかつコンパクトにすることでコストを削減し、かつ外観を美麗に保ち、可動部が傷付くのを防止し、着席者の使用感を心地よくすることを目的としている。
【課題を解決するための手段】
【０００７】
本発明は、上記課題を有利に解決するためになされたものであり、本発明の椅子用回動収納式テーブルは、椅子に固定されて、その椅子の座の側方に位置するテーブル受けと、前記テーブル受けに、前記椅子の左右方向へ延在する第１軸線周りに回動可能に枢支されるテーブル軸受けと、前記テーブル軸受けに、前記椅子の前後方向へ延在する鉛直平面に平行に延在する第２軸線周りに、前記第１軸線に平行に延在する使用姿勢と前記鉛直平面に平行に延在する収納姿勢との間で回動可能に枢支されたテーブル本体と、を具える椅子用回動収納式テーブルにおいて、前記テーブル受けが、テーブル本体支持部とテーブル本体姿勢制御部とを有し、前記テーブル本体支持部は、前記テーブル軸受けが前記第１軸線周りの所定回動位置に位置する状態でのみ前記テーブル本体の前記第２軸線周りの前記使用姿勢までの回動を許容するとともに、前記使用姿勢の前記テーブル本体の裏面を支持してそのテーブル本体を使用状態にするものであり、前記テーブル本体姿勢制御部は、前記テーブル軸受けが前記第１軸線周りに前記所定回動位置から、前記テーブル本体の裏面に摺接して前記収納姿勢まで回動可能にするものであり、前記テーブル本体姿勢制御部から第一軸線に下ろした垂線が、前記テーブル本体支持部から第一軸線に下ろした垂線より長くなり、前記テーブル本体支持部と前記テーブル本体姿勢制御部とは、前記テーブル受けに嵌着されてそのテーブル受けと前記テーブル軸受けとの間まで延在するプラスチック製部材によって形成されていることを特徴としている。
【発明の効果】
【０００８】
かかる椅子用回動収納式テーブルにあっては、着座者が、椅子の座の側方に位置するテーブル受けの下方に収納されている収納姿勢のテーブル本体を持って前方に回して上方へ持ち上げることで、テーブル軸受けを第１軸線周りに回動させて例えば第２軸線が水平になる所定回動位置に位置させると、テーブル受けのテーブル本体支持部が、そのテーブル軸受けの回動位置でのみテーブル本体に干渉せずにテーブル本体の第２軸線周りの使用姿勢までの回動を許容し、その使用姿勢まで回動したテーブル本体の裏面を支持して、そのテーブル本体を例えば表面が水平になる使用状態に維持する。
【０００９】
また、その使用姿勢かつ使用状態にあるテーブル本体を着座者が前方へ押すことで、テーブル軸受けを第１軸線周りに上記所定回動位置からテーブル本体が椅子の前方へ移動する所定方向へ回動させると、テーブル軸受けが第１軸線周りに回動するにつれて、テーブル受けのテーブル本体姿勢制御部がカムのように機能して、従動子に相当するテーブル本体の裏面に摺接し、そのテーブル本体を使用姿勢から第２軸線周りに起こして収納姿勢まで回動させ、これによってテーブル本体が、椅子の前後方向に延在する鉛直平面（仮想平面）に平行な状態となって自重によりテーブル軸受けとともに前方に回動し、さらに下方へ回動して、椅子の座の側方に位置するテーブル受けの下方に収納される。
【００１０】
従って、本発明の椅子用回動収納式テーブルによれば、テーブルの使用時にはテーブル本体を着座者の前方に位置する使用状態にし得るとともにテーブルの不使用時や人の通過時などにはテーブル本体を椅子の座の側方に位置するテーブル受けの下方に収納し得る回動収納式テーブルを、主としてテーブル受けとテーブル軸受けとテーブル本体との三つの部品で構成することができるので、テーブルの回動収納構造をシンプルかつコンパクトにし得て、コストを削減し、かつ外観を煩雑でない美麗なものとすることができる。
【００１１】
なお、本発明の椅子用回動収納式テーブルにおいては、前記テーブル本体支持部と前記テーブル本体姿勢制御部とは、前記テーブル受けに嵌着されてそのテーブル受けと前記テーブル軸受けとの間まで延在するプラスチック製部材によって形成され、このようにすれば、可動部としてのテーブル本体が傷付くのを防止し得るとともに、プラスチック製部材の滑らかで温かい手触りで着席者の使用感を心地よくすることができ、加えて、テーブル本体支持部とテーブル本体姿勢制御部とを別個の部材で製造する場合と比べて部品点数を減らしてコストを削減することもでき、さらに、プラスチック製部材を型成型することでその寸法安定性を高めて、テーブル組立て後のテーブル本体の使用状態での水平出しなどの調整を不要とすることもできる。
【００１２】
また、本発明の椅子用回動収納式テーブルにおいては、前記テーブル本体は前記使用状態で、前記テーブル軸受けに枢支された一端部よりも反対側の他端部寄りの前端部が前記一端部付近の前端部よりも前方に突出する一方、前記他端部寄りの後端部が前記一端部付近の後端部よりも前方に引っ込んでいても良く、このようにすれば、テーブル本体は、使用状態では、着座者の前方に着座者から離れて位置するので使い勝手が良く、しかも収納状態では、第１軸線周りに略１８０度回転して、テーブル軸受けに枢支された一端部よりも反対側の他端部寄りの前端部が前記一端部付近の前端部よりも後方に突出する一方、前記他端部寄りの後端部が前記一端部付近の後端部よりも後方に引っ込むので、椅子前方の人の通行の妨げにならないように、より大きく引っ込めることができる。
【００１３】
さらに、本発明の椅子用回動収納式テーブルにおいては、前記テーブル軸受けは、前記テーブル本体と当接してそのテーブル本体の前記第２軸線周りの前記収納姿勢を超えた前記使用姿勢と反対の側への回動を規制するテーブル本体ストッパを有していても良く、このようにすれば、隣の椅子側にテーブル本体が倒れ込むのを防止することができる。
【００１４】
そして、本発明の椅子用回動収納式テーブルにおいては、前記テーブル受けは、前記テーブル本体または前記テーブル軸受けと当接してそのテーブル軸受けの前記所定回動位置を越える前記所定方向と反対の方向への回動を規制するとともにそのテーブル軸受けの前記所定方向への回動を所定限度内に規制するテーブル受けストッパを有していても良く、このようにすれば、簡易な構成で、テーブル本体およびテーブル軸受けの第１の軸線周りの過度の回動を制止することができる。
【発明を実施するための最良の形態】
【００１５】
以下、本発明の実施の形態を実施例によって、図面に基づき詳細に説明する。ここに、図１（ａ）は、本発明の椅子用回動収納式テーブルの一実施例をテーブル本体が収納姿勢にある状態で示す側面図、図１（ｂ），（ｃ）および（ｄ）は、その実施例の椅子用回動収納式テーブルをテーブル本体が収納姿勢にある状態、使用姿勢にある状態、および収納姿勢から使用姿勢側と反対の側に倒れようとして角部で規制されている状態でそれぞれ示す、図１（ａ）中のＡ−Ａ線に沿う断面図、図２（ａ）および（ｂ）は、上記実施例の椅子用回動収納式テーブルのテーブル受けを摺接部材が嵌着された状態で示す平面図および側面図、図３（ａ）および（ｂ）は、上記実施例の椅子用回動収納式テーブルのテーブル受けを摺接部材を除いた状態で示す平面図および側面図、図３（ｃ）および（ｄ）は、そのテーブル受けを示す、図３（ａ）中のＢ−Ｂ線およびＣ−Ｃ線にそれぞれ沿う断面図、そして図４（ａ）および（ｂ）は、上記実施例の椅子用回動収納式テーブルの摺接部材を示す側面図およびその（ａ）中のＤ−Ｄ線に沿う断面図である。
【００１６】
また図５（ａ）および（ｂ）は、上記実施例の椅子用回動収納式テーブルのテーブル軸受けおよびテーブル本体を組立て状態で示す側面図および正面図、図５（ｃ）は、そのテーブル軸受けおよびテーブル本体を、ピンを抜いた状態で示す裏面図、図６（ａ）および（ｂ）は、上記実施例の椅子用回動収納式テーブルのテーブル本体がテーブル軸受けとともに第１軸線周りに椅子の前方へ回動した状態を示す側面図およびその（ａ）中のＡ−Ａ線に沿う断面図、図７（ａ）および（ｂ）は、上記実施例の椅子用回動収納式テーブルのテーブル本体がテーブル軸受けとともに第１軸線周りに下方の収納位置へ回動した状態を示す側面図およびその（ａ）中のＡ−Ａ線に沿う断面図、そして図８は、上記実施例の椅子用回動収納式テーブルのテーブル本体がテーブル軸受けとともに第１軸線周りに椅子の後方へ回動しようとしてストッパで規制された状態を示す側面図であり、図中、符号１は上記実施例の椅子用回動収納式テーブル、２はテーブル受け、３はテーブル軸受け、４はテーブル本体をそれぞれ示す。
【００１７】
この実施例の椅子用回動収納式テーブル１は、後述の図９〜図１１に示すように、例えば観覧席などに用いられる例えば座起立型の連結椅子１２に、テーブルユニットとして装着されるもので、図１〜図５に示すように、主要部品としてテーブル受け２と、テーブル軸受け３と、テーブル本体４とを具えており、そのテーブル受け２は、摺接部材５を嵌着されて有している。
【００１８】
テーブル本体４は、木材やプラスチックのテーブル板とそれを支持する金物部品とで構成しても良いが、好ましくはテーブル板４ａとヒンジ部４ｂとが一体をなす成形品とする。これによりコストを削減することができる。そして、アルミ合金ダイキャストや強化プラスチック射出成形品とすることにより、大幅に生産性を高めることもできる。テーブル本体４の側方の一端部に位置するヒンジ部４ｂには、テーブル板４ａの表面と平行に貫通穴４ｃを設ける。
【００１９】
ここでテーブル板４ａは、図１（ｃ）および後述の図９に示す使用状態で、そのヒンジ部４ｂよりも反対側の他端部寄りの前端部が、そのヒンジ部４ｂ付近の前端部よりも前方に突出する一方、上記他端部寄りの後端部が、そのヒンジ部４ｂ付近の後端部よりも前方に引っ込む、略平行四辺形状の形状とする。
【００２０】
テーブル軸受け３は、テーブル本体４を回動させて収納する際の支持部となるものであり、図５に示すように、テーブル本体４の二つのヒンジ部４ｂの間に嵌まり込むヒンジ部３ａの図５（ａ）では左右方向へ延在する貫通穴３ｂと、そのヒンジ部３ａの図５（ａ）では下方で紙面と直行する方向へ延在する軸穴３ｃとを設け、テーブル軸受け３のヒンジ部３ａの貫通穴３ｂとテーブル本体４のヒンジ部４ｂの貫通穴４ｃとを整列させてそこにピン６を挿通することで、テーブル本体４を回動可能に組み付ける。なお、図示例ではテーブル軸受け３およびテーブル本体４を貫通するように２本のピン６をテーブル本体４の両側から差し込むことでテーブル軸受け３とテーブル本体４との組立て作業を容易にしているが、テーブル軸受け３およびテーブル本体４を貫通する１本のピン６を用いて組立てを行っても良い。これら貫通穴３ｂ，４ｃの中心軸線が第２軸線となる。また、軸穴３ｃに挿通した収納軸７をテーブル受け２に締着することで、テーブル軸受け３をテーブル受け２に回動可能に組み付ける。この軸穴３ｃの中心軸線が第１軸線となる。
【００２１】
ここでヒンジ部３ａは、軸穴３ｃに対し上側に位置するときは軸穴３ｃに関する対称位置から椅子の前方（図５（ａ）では右方）へオフセットするように設ける。これにより、テーブル軸受け３が図５（ａ）の姿勢から１８０度回動したテーブル収納時、すなわちヒンジ部３ａが軸穴３ｃに対し下側に位置するときは、ヒンジ部３ａが軸穴３ｃに関する対称位置から椅子の後方へオフセットして、テーブル本体４がコンパクトに収まる。また、ヒンジ部３ａの断面形状は、図１（ｂ）〜（ｄ）に示すように、テーブル受け２に向く側は円筒状に丸めるが、テーブル受け２と反対に向く側は角部３ｄを残しておく。これにより、図１（ｄ）に示すように、テーブル本体４が収納姿勢から使用姿勢側と反対の側に倒れようとしても、その角部３ｄがテーブル本体４の二つのヒンジ部４ｂの間の部分に当接し、テーブル本体４の倒れ込みを防止するテーブル本体ストッパとして機能する。さらに、テーブル軸受け３に対するテーブル本体４の回動に適度な抵抗感をもたせるために、ピン６には好ましくはスプリングピンを用いる。さらに、テーブル本体４が滑らかに回動し、磨耗が少なくなるように、好ましくはテーブル本体４とピン６との間にプラスチック製のブッシュ８を介装する。
【００２２】
テーブル受け２は、椅子にボルトで固定されてテーブル軸受け３を回動可能に支持するものであり、三本のボルト穴２ａの他、上記収納軸７を締着するための雌ネジが形成されたネジ穴２ｂと、後述するストッパ９を固定するためのストッパ固定ネジ１０を締着するための雌ネジが形成されたネジ穴２ｃとを有している。収納軸７をテーブル受け２のネジ穴２ｂに締着する際、テーブル軸受け３が滑らかに回動し、磨耗が少なくなるように、好ましくはテーブル軸受け３と収納軸７との間にプラスチック製のブッシュ１１を介装する。
【００２３】
そして、摺接部材５は、図１（ａ）および図４に示すように、この実施例では上向きの水平面であるテーブル本体支持部５ａと、この実施例ではそのテーブル本体支持部５ａの水平面と収納軸７の中心軸線との距離Ｄ１よりも常に大きいがその中心軸線と対象位置とを結ぶ直線の鉛直線からの角度に応じて変化する距離Ｄ２だけその中心軸線から離れて上記水平面に滑らかに連なり上向きから前向きを経て斜め下向きまで向きが変化する凸曲面であるテーブル本体姿勢制御部５ｂと、テーブル軸受け３およびテーブル本体４に摺接して収納軸７周りのそれらの回動を案内する側面である案内部５ｃとをテーブル受け２に設けるためのプラスチック製の一体成型のキャップ状のものであり、テーブル受け２に密に嵌着されて上記ストッパ９とともにストッパ固定ネジ１０でテーブル受け２に固定され、同時にテーブル軸受け３によってもテーブル受け２に押し付けられて固定される。
【００２４】
ここでテーブル本体支持部５ａは、図１（ａ）に示すように、テーブル軸受け３が収納軸７周り（第１軸線周り）の、貫通穴３ｂ，４ｃおよびピン６の中心軸線が収納軸７の上側で水平になる所定回動位置に位置する状態でのみ、図１（ｃ）に示すように、テーブル本体４に干渉せずに、ピン６周り（第２軸線周り）のテーブル本体４の、ここではテーブル軸受け３に対して直角に曲がる（すなわちテーブル本体４表面が第１軸線に平行に延在する）使用姿勢までの回動を許容するとともに、その使用姿勢のテーブル本体４の裏面を支持してそのテーブル本体４を、そのテーブル本体４の表面が水平になる使用状態にする。
【００２５】
またここで、テーブル本体姿勢制御部５ｂは、図６（ａ）に示すように、テーブル軸受け３が収納軸７周り（第１軸線周り）に上記所定回動位置から、テーブル本体４が椅子の前方へ移動する所定方向（図６（ａ）では時計方向）へ回動すると、テーブル軸受け３が収納軸７周りに回動するにつれてカムのように機能して、従動子に相当するテーブル本体４の裏面に縁部で摺接してそのテーブル本体４をピン６周り（第２軸線周り）に上記使用姿勢から起こして、図６（ｂ）に示すように、テーブル本体４を、テーブル軸受け３に対して平行に延在する（すなわちテーブル本体４の表面が、椅子の前後方向へ延在する仮想鉛直平面に平行に延在する）収納姿勢まで回動させる。
【００２６】
そして、一般的にはテーブル軸受け３がテーブル受け２の側面に沿って回動する際の抵抗を減らし傷付きを防止するためにそれらの間にプラスチック製などのワッシャを設ける処、この実施例の椅子用回動収納式テーブル１では、そのワッシャよりも面積を大きくした案内部５ｃでテーブル受け２の側面を覆うとともに、一般的には別のテーブル受け用のプラスチック部品や角度調節部品を設ける処、その案内部５ｃと一体となったテーブル本体支持部５ａおよびテーブル本体姿勢制御部５ｂでテーブル受け２の上面、前面および下面も被う。
【００２７】
さらに、一般的には収納途中のテーブルは自重でまっすぐに下がっていくことを期待されているが、この摺接部材５に上記のようにテーブル受け２の側部を大きく被う案内部５ｃを設けることで、テーブル本体４の姿勢を常時整えて、テーブル本体４が椅子の着座者側に倒れこむことがないようにし、かつテーブル本体４とテーブル受け２とが直接擦れて傷付くことや異音を発することがないようにしている。なお、案内部５ｃには収納軸７とストッパ固定ネジ１０とをそれぞれ挿通する二つのネジ穴を設けてある。このように、テーブル本体支持部５ａとテーブル本体姿勢制御部５ｂと案内部５ｃとを一体成形品とすることで、テーブルの使用時および収納時の関係寸法精度を高めることができるので、テーブル本体４の角度調整装置などを不要にすることができる。また、射出成型などの金型で成型することで、寸法安定性を高めるとともに、部品点数を減らして部品コストおよび組立てコストを削減することができる。
【００２８】
さらにこの実施例の椅子用回動収納式テーブル１では、テーブル本体４を収納軸７周りに不要に大きく回動させることを避けるために、例えばプラスチック製の上記ストッパ９を設ける。このストッパ９は、摺接部材５に一体成形しても良いし、テーブル受け２に一体成形しても良いが、繰り返し使用による損傷など生じた場合に交換可能とするために、ここではテーブル受け２のネジ穴２ｃに、ストッパ固定ネジ１０で締着する。このストッパ９は、図８に示すように、テーブル本体４を上方に起こした際、それ以上後方に回らないようにするためと、図７に示すように、テーブル本体４を収納位置に下ろした際、それ以上奥に押し込んで椅子本体にぶつかって損傷しないようにするための機能とを兼ね備えている。
【００２９】
図９（ａ），（ｂ）および（ｃ）は、この実施例の椅子用回動収納式テーブル１を例えば三人掛けの連結椅子に取り付けた適用例をテーブル本体が使用位置にある状態で示す正面図、平面図およびその（ａ）中のＥ−Ｅ線に沿う断面図、図１０（ａ），（ｂ）および（ｃ）は、図９と同様の適用例をテーブル本体が使用姿勢から収納姿勢に起こされた状態で示す正面図、平面図およびその（ａ）中のＥ−Ｅ線に沿う断面図、そして図１１（ａ），（ｂ）および（ｃ）は、図９と同様の適用例をテーブル本体がテーブル受けの下方の収納位置に降りた状態で示す正面図、平面図およびその（ａ）中のＥ−Ｅ線に沿う断面図である。
【００３０】
この適用例では、上記実施例の椅子用回動収納式テーブル１を、観覧席などに用いられる座起立型の三人掛けの連結椅子１２の各椅子に、テーブルユニットとして装着しており、ここにおける連結椅子１２の各椅子は、背１２ａと、座１２ｂと、座１２ｂの左右両側に位置する肘１２ｃと、それら背１２ａ、座１２ｂおよび肘１２ｃを支持するフレームとしての、座１２ｂの左右両側に位置する板状の脚１２ｄとを具えており、左右で隣り合う椅子間における肘１２ｃと脚１２ｄとはそれら隣り合う椅子に共通のものとなっている。
【００３１】
そしてこの適用例では、上記実施例の椅子用回動収納式テーブル１のテーブル受け２を、各椅子の右側に位置する脚１２ｄの前部上端部の、座１２ｂに向く側の側面に、上記ボルト穴２ａを介して３本のボルトで固定している。
【００３２】
この適用例におけるこの実施例の椅子用回動収納式テーブル１にあっては、着座者が、椅子の座１２ｂの側方に位置するテーブル受け２の下方に収納されている収納姿勢のテーブル本体４を持って前方に回して上方へ持ち上げることで、テーブル軸受け３を収納軸７周りに回動させてピン６が水平になる所定回動位置に位置させると、図９に示すように、テーブル受け２に設けた摺接部材５のテーブル本体支持部５ａが、そのテーブル軸受け３の回動位置でのみテーブル本体４に干渉せずにテーブル本体４のピン６周りの使用姿勢までの回動を許容し、その使用姿勢まで回動したテーブル本体４の裏面を支持して、そのテーブル本体４を表面が水平になる使用状態に維持する。
【００３３】
また、その使用姿勢かつ使用状態にあるテーブル本体４を着座者が前方へ押すことで、テーブル軸受け３を収納軸７周りに上記所定回動位置からテーブル本体４が椅子の前方へ移動する方向へ回動させると、テーブル軸受け３が収納軸７周りに回動するにつれて、テーブル受け２に設けた摺接部材５のテーブル本体姿勢制御部５ｂがカムのように機能して、従動子に相当するテーブル本体４の裏面に摺接し、そのテーブル本体４を使用姿勢からピン６周りに起こして収納姿勢まで回動させ、これによってテーブル本体４が、椅子の前後方向に延在する鉛直平面（仮想平面）に平行な状態となって、自重によりテーブル軸受け３とともに前方に回動し、さらに下方へ回動して、図１１に示すように、椅子の座１２ｂの側方に位置するテーブル受け２の下方に収納される。なお、着座者が、図１０に示すように、先にテーブル本体４を使用姿勢からピン６周りに起こして収納姿勢まで回動させてから、そのテーブル本体４を前方に押しても、テーブル本体４は上記と同様に自重によりテーブル軸受け３とともに前方に回動し、さらに下方へ回動して、図１１に示すように、椅子の座１２ｂの側方に位置するテーブル受け２の下方に収納される。
【００３４】
従って、この実施例の椅子用回動収納式テーブル１によれば、テーブルの使用時にはテーブル本体４を着座者の前方に位置する使用状態にし得るとともにテーブルの不使用時や人の通過時などにはテーブル本体４を椅子の座１２ｂの側方に位置するテーブル受け２の下方に収納し得る回動収納式テーブルを、主としてテーブル受け２とテーブル軸受け３とテーブル本体４との三つの部品で構成することができるので、テーブルの回動収納構造をシンプルかつコンパクトにし得て、コストを削減し、かつ外観を煩雑でない美麗なものとすることができる。
【００３５】
しかもこの実施例の椅子用回動収納式テーブル１によれば、テーブル本体支持部５ａとテーブル本体姿勢制御部５ｂとが、テーブル受け２に嵌着されてそのテーブル受け２とテーブル軸受け３との間まで延在するプラスチック製部材である摺接部材５によって形成されているので、可動部としてのテーブル本体４が傷付くのを防止し得るとともに、プラスチック製部材である摺接部材５の滑らかで温かい手触りで着席者の使用感を心地よくすることができ、加えて、テーブル本体支持部５ａとテーブル本体姿勢制御部５ｂとを別個の部材で製造する場合と比べて部品点数を減らしてコストを削減することもでき、さらに、プラスチック製部材である摺接部材５を型成型することでその寸法安定性を高めて、テーブル組立て後のテーブル本体４の使用状態での水平出しなどの調整を不要とすることもできる。
【００３６】
また、この実施例の椅子用回動収納式テーブル１によれば、テーブル本体４が使用状態にある状態で、ヒンジ部４ｂよりも反対側の他端部寄りの前端部が、そのヒンジ部４ｂ付近の前端部よりも前方に突出する一方、上記他端部寄りの後端部が、そのヒンジ部４ｂ付近の後端部よりも前方に引っ込むように、テーブル本体４を略平行四辺形状の形状としていることから、テーブル本体４は、使用状態では、着座者の前方に着座者から離れて位置するので使い勝手が良く、しかも収納状態では、収納軸７周りに略１８０度回転して、ヒンジ部４ｂよりも反対側の他端部寄りの前端部が、そのヒンジ部４ｂ付近の前端部よりも後方に突出する一方、上記他端部寄りの後端部が、そのヒンジ部４ｂ付近の後端部よりも後方に引っ込むので、椅子前方の人の通行の妨げにならないように、テーブル本体４を、より大きく引っ込めることができる。
【００３７】
さらに、この実施例の椅子用回動収納式テーブル１によれば、テーブル軸受け３が、テーブル本体４と当接してそのテーブル本体４のピン６周りの収納姿勢を超えた使用姿勢と反対の側への回動を規制する角部３ｄを有しているので、隣の椅子側にテーブル本体４が倒れ込むのを簡易な構成で防止することができる。
【００３８】
さらに、この実施例の椅子用回動収納式テーブル１によれば、テーブル受け３が、テーブル本体４またはテーブル軸受け３と当接してそのテーブル軸受け３の上記所定回動位置を越える上記所定方向と反対の方向への回動を規制するとともにそのテーブル軸受け３の上記所定方向への回動を所定限度内に規制するストッパ９を有しているので、簡易な構成で、テーブル本体４およびテーブル軸受け３の収納軸７周りの過度の回動を制止することができる。
【００３９】
そして、この実施例の椅子用回動収納式テーブル１によれば、図示のように、肘１２ｃの幅よりも狭く、収納状態のテーブルユニットを設定できることから、基本の椅子の背１２ａおよび座１２ｂを幅狭くしたりテーブルユニットと反対側に偏らせたりする必要がないので、座り心地を損なうことがなく、椅子の性能を保つことができる。
【００４０】
以上、図示例に基づき説明したが、本発明は上述の実施例に限定されるものでなく、特許請求の範囲の記載範囲内で適宜変更することができるものであり、例えば、テーブル本体支持部５ａとテーブル本体姿勢制御部５ｂとの少なくとも一方をテーブル受け２に一体に形成しても良く、またテーブル受け２を上方から見てコ字状にして、テーブル軸受けの支持軸を支持する側とテーブル本体支持部およびテーブル本体姿勢制御部を設ける側とを左右に振り分けても良い。さらに、テーブル板４ａは上記例では略平行四辺形状の形状としたが、テーブル軸受け３に対して非対称にオフセットした形状であれば他の形状、例えば台形状等としても良い。そして、本発明の椅子用回動収納式テーブルを椅子へ適用するに際しては、テーブル受けを椅子の背などの、脚以外の固定部分に固定しても良く、また本発明の椅子用回動収納式テーブルを上記実施例と左右対称に構成して、テーブル受けを椅子の座の左側に配置して椅子に固定しても良い。
【産業上の利用可能性】
【００４１】
かくして本発明の椅子用回動収納式テーブルによれば、テーブルの使用時にはテーブル本体を着座者の前方に位置する使用状態にし得るとともにテーブルの不使用時や人の通過時などにはテーブル本体を椅子の座の側方に位置するテーブル受けの下方に収納し得る回動収納式テーブルを、主としてテーブル受けとテーブル軸受けとテーブル本体との三つの部品で構成することができるので、テーブルの回動収納構造をシンプルかつコンパクトにし得て、コストを削減し、かつ外観を煩雑でない美麗なものとすることができる。
【図面の簡単な説明】
【００４２】
【図１】（ａ）は、本発明の椅子用回動収納式テーブルの一実施例をテーブル本体が収納姿勢にある状態で示す側面図、また（ｂ），（ｃ）および（ｄ）は、その実施例の椅子用回動収納式テーブルをテーブル本体が収納姿勢にある状態、使用姿勢にある状態、および収納姿勢から使用姿勢側と反対の側に倒れようとして角部で規制されている状態でそれぞれ示す、（ａ）中のＡ−Ａ線に沿う断面図である。
【図２】（ａ）および（ｂ）は、上記実施例の椅子用回動収納式テーブルのテーブル受けを摺接部材が嵌着された状態で示す平面図および側面図である。
【図３】（ａ）および（ｂ）は、上記実施例の椅子用回動収納式テーブルのテーブル受けを摺接部材を除いた状態で示す平面図および側面図、また（ｃ）および（ｄ）は、そのテーブル受けを示す、（ａ）中のＢ−Ｂ線およびＣ−Ｃ線にそれぞれ沿う断面図である。
【図４】（ａ）および（ｂ）は、上記実施例の椅子用回動収納式テーブルの摺接部材を示す側面図およびその（ａ）中のＤ−Ｄ線に沿う断面図である。
【図５】（ａ）および（ｂ）は、上記実施例の椅子用回動収納式テーブルのテーブル軸受けおよびテーブル本体を組立て状態で示す側面図および正面図、また（ｃ）は、そのテーブル軸受けおよびテーブル本体を、ピンを抜いた状態で示す裏面図である。
【図６】（ａ）および（ｂ）は、上記実施例の椅子用回動収納式テーブルのテーブル本体がテーブル軸受けとともに第１軸線周りに椅子の前方へ回動した状態を示す側面図およびその（ａ）中のＡ−Ａ線に沿う断面図である。
【図７】（ａ）および（ｂ）は、上記実施例の椅子用回動収納式テーブルのテーブル本体がテーブル軸受けとともに第１軸線周りに下方の収納位置へ回動した状態を示す側面図およびその（ａ）中のＡ−Ａ線に沿う断面図である。
【図８】上記実施例の椅子用回動収納式テーブルのテーブル本体がテーブル軸受けとともに第１軸線周りに椅子の後方へ回動しようとしてストッパで規制された状態を示す側面図である。
【図９】（ａ），（ｂ）および（ｃ）は、上記実施例の椅子用回動収納式テーブルを例えば三人掛けの連結椅子に取り付けた適用例をテーブル本体が使用位置にある状態で示す正面図、平面図およびその（ａ）中のＥ−Ｅ線に沿う断面図である。
【図１０】（ａ），（ｂ）および（ｃ）は、図９と同様の適用例をテーブル本体が使用姿勢から収納姿勢に起こされた状態で示す正面図、平面図およびその（ａ）中のＥ−Ｅ線に沿う断面図である。
【図１１】（ａ），（ｂ）および（ｃ）は、図９と同様の適用例をテーブル本体がテーブル受けの下方の収納位置に降りた状態で示す正面図、平面図およびその（ａ）中のＥ−Ｅ線に沿う断面図である。
【符号の説明】
【００４３】
１  椅子用回動収納式テーブル
２  テーブル受け
２ａ  ボルト穴
２ｂ，２ｃ  ネジ穴
３  テーブル軸受け
３ａ  ヒンジ部
３ｂ  貫通穴
３ｃ  軸穴
３ｄ  角部
４  テーブル本体
４ａ  テーブル板
４ｂ  ヒンジ部
４ｃ  貫通穴
５  摺接部材
５ａ  テーブル本体支持部
５ｂ  テーブル本体姿勢制御部
５ｃ  案内部
６  ピン
７  収納軸
８，１１  ブッシュ
９  ストッパ
１０  ストッパ固定ネジ
１２  連結椅子
１２ａ  背
１２ｂ  座
１２ｃ  肘
１２ｄ  脚
【図１】
0004385063.tif 000002
【図２】
0004385063.tif 000003
【図３】
0004385063.tif 000004
【図４】
0004385063.tif 000005
【図５】
0004385063.tif 000006
【図６】
0004385063.tif 000007
【図７】
0004385063.tif 000008
【図８】
0004385063.tif 000009
【図９】
0004385063.tif 000010
【図１０】
0004385063.tif 000011
【図１１】
0004385063.tif 000012